(57)【特許請求の範囲】
【請求項１】
スロットゲーム機のリール装置において、
一端に複数個の嵌合用突起を持つリール装着用シンボルシートであって、表面にシンボルを表示し裏面に該シンボルを識別するためのコードが搭載されたリール装着用シンボルシートを用意し、
円形に構成されるリール枠の外周面を複数のリール分割枠で分割し、
該リール分割枠にシンボルシート案内溝を、リール枠のリール円周枠に沿って複数個のシンボルシート嵌合孔をそれぞれ設け、
前記リール装着用シンボルシートの側縁を前記シンボルシート案内溝に挿通し、前記複数個の嵌合用突起それぞれを複数個のシンボルシート嵌合孔の対応するシンボルシート嵌合孔に嵌合させることにより、リール装着用シンボルシートの表面を撓ませリール枠の円形曲面に沿った曲面形状に形成してリールの各シンボル固定位置にリール装着用シンボルシートを取り付け、
前記リール枠の内側に各リール装着用シンボルシートのコードを撮像するカメラ装置を設け、
該カメラ装置で撮像したコードを認識し、リール枠に装着されたリール装着用シンボルシートを識別し、スロットゲーム機の正面に揃った絵柄の判断をするか、または各リール装着用シンボルシート毎にゲームプログラムと同期をとることを特徴とするスロットゲーム機のリール装置。
【請求項２】
スロットゲーム機のリール装置において、
一端に複数個の嵌合用突起を持つリール装着用シンボルシートであって、表面にシンボルを表示し裏面に該シンボルを識別するためＲＦＩＤを搭載されたリール装着用シンボルシートを用意し、
円形に構成されるリール枠の外周面を複数のリール分割枠で分割し、
該リール分割枠にシンボルシート案内溝を、リール枠のリール円周枠に沿って複数個のシンボルシート嵌合孔をそれぞれ設け、
前記リール装着用シンボルシートの側縁を前記シンボルシート案内溝に挿通し、前記複数個の嵌合用突起それぞれを複数個のシンボルシート嵌合孔の対応するシンボルシート嵌合孔に嵌合させることにより、リール装着用シンボルシートの表面を撓ませリール枠の円形曲面に沿った曲面形状に形成してリールの各シンボル固定位置にリール装着用シンボルシートを取り付け、
前記リール枠の内側に各リール装着用シンボルシートに搭載したＲＦＩＤと通信するＲＦＩＤリーダライタを設け、
該ＲＦＩＤリーダライタが前記ＲＦＩＤとの間で送受信動作することによりリール枠に装着されたリール装着用シンボルシートを識別し、スロットゲーム機の正面に揃った絵柄の判断をするか、または各リール装着用シンボルシート毎にゲームプログラムと同期をとることを特徴とするスロットゲーム機のリール装置。
【請求項３】
前記複数個の嵌合用突起および複数個のシンボルシート嵌合孔はそれぞれ５個であり、
前記リール分割枠に形成されるシンボルシート案内溝は、リール分割枠の断面がＨ型であって、Ｈ型の上下の案内溝で上側のリール装着用シンボルシートおよび下側のリール装着用シンボルシートの側縁をそれぞれ案内可能に構成したことを特徴とする請求項１または２記載のスロットゲーム機のリール装置。
【発明の詳細な説明】
【技術分野】
【０００１】
本発明は、スロットゲーム機のメカニカルリールの構造に関する。
【背景技術】
【０００２】
従来のスロットマシンのリール構造は、リールテープを変える場合、特許文献１に示すようにリールテープを剥がしてから新しいテープを貼る必要がある。また、貼り位置がずれないように貼らなければならない。
【特許文献１】特開２００２−６５９４０号公報
【発明の開示】
【発明が解決しようとする課題】
【０００３】
ところで、リールテープ取り替えにおいて、リールテープの貼り位置がずれてしまった場合や、リールテープは粘着剤で固定しているため貼りミスによる張り替えを何度もした場合、粘着力を失いリールテープの端が剥がれてくることがある。
また、リールテープには数十個のシンボルが描かれているため、１つのシンボルを変更する場合でもリールテープ全部を変えなければならない。
【０００４】
本発明の目的は、メカニカルリールのリールテープをシンボル単位で分割し、リールの骨組み（枠）にスライドして差し込む構造にすることによりシンボルのみを容易に変更可能であり、汎用性を持ったリールシンボルの並びを作ることができるスロットゲーム機のリール装置を提供することにある。
【課題を解決するための手段】
【０００５】
前記目的を達成するために本発明の請求項１はスロットゲーム機のリール装置において、一端に複数個の嵌合用突起を持つリール装着用シンボルシートであって、表面にシンボルを表示し裏面に該シンボルを識別するためのコードが搭載されたリール装着用シンボルシートを用意し、円形に構成されるリール枠の外周面を複数のリール分割枠で分割し、該リール分割枠にシンボルシート案内溝を、リール枠のリール円周枠に沿って複数個のシンボルシート嵌合孔をそれぞれ設け、前記リール装着用シンボルシートの側縁を前記シンボルシート案内溝に挿通し、前記複数個の嵌合用突起それぞれを複数個のシンボルシート嵌合孔の対応するシンボルシート嵌合孔に嵌合させることにより、リール装着用シンボルシートの表面を撓ませリール枠の円形曲面に沿った曲面形状に形成してリールの各シンボル固定位置にリール装着用シンボルシートを取り付け、前記リール枠の内側に各リール装着用シンボルシートのコードを撮像するカメラ装置を設け、該カメラ装置で撮像したコードを認識し、リール枠に装着されたリール装着用シンボルシートを識別し、スロットゲーム機の正面に揃った絵柄の判断をするか、または各リール装着用シンボルシート毎にプログラムと同期をとることを特徴とする。
本発明の請求項２はスロットゲーム機のリール装置において、一端に複数個の嵌合用突起を持つリール装着用シンボルシートであって、表面にシンボルを表示し裏面に該シンボルを識別するためＲＦＩＤを搭載されたリール装着用シンボルシートを用意し、円形に構成されるリール枠の外周面を複数のリール分割枠で分割し、該リール分割枠にシンボルシート案内溝を、リール枠のリール円周枠に沿って複数個のシンボルシート嵌合孔をそれぞれ設け、前記リール装着用シンボルシートの側縁を前記シンボルシート案内溝に挿通し、前記複数個の嵌合用突起それぞれを複数個のシンボルシート嵌合孔の対応するシンボルシート嵌合孔に嵌合させることにより、リール装着用シンボルシートの表面を撓ませリール枠の円形曲面に沿った曲面形状に形成してリールの各シンボル固定位置にリール装着用シンボルシートを取り付け、前記リール枠の内側に各リール装着用シンボルシートに搭載したＲＦＩＤと通信するＲＦＩＤリーダライタを設け、該ＲＦＩＤリーダライタが前記ＲＦＩＤとの間で送受信動作することによりリール枠に装着されたリール装着用シンボルシートを識別し、スロットゲーム機の正面に揃った絵柄の判断をするか、または各リール装着用シンボルシート毎にプログラムと同期をとることを特徴とする。
本発明の請求項３は請求項１または２記載の発明において前記複数個の嵌合用突起および複数個のシンボルシート嵌合孔はそれぞれ５個であり、前記リール分割枠に形成されるシンボルシート案内溝は、リール分割枠の断面がＨ型であって、Ｈ型の上下の案内溝で上側のリール装着用シンボルシートおよび下側のリール装着用シンボルシートの側縁をそれぞれ案内可能に構成したことを特徴とする。
【発明の効果】
【０００６】
上記構成によれば、リール装着用シンボルシートを挿入する構造であるためスロットリールの汎用性を高めることができる。また、容易に変更することができる。溝による取り付けのため、リールの貼り付けのときのズレが発生することはない。
リール装着用シンボルシートにＲＦＩＤやＱＲコードを設けることにより、プログラムと同期することが可能である。
販売先の店舗用に、オリジナルのシンボルを定義することも容易になり、シンボルの数も調整することが可能である。
【発明を実施するための最良の形態】
【０００７】
以下、図面を参照して本発明の実施の形態を詳しく説明する。
図１は、本発明によるリール装置を用いたスロットゲーム機の外観を示す図である。
スロットゲーム機１の中央にメカニカルスロットが配置されている。メカニカルスロットは第１リール２，第２リール３および第３リール４の３つのリール部を有している。
操作パネル７のコイン投入口にコインを投入し、操作スイッチ８を操作することによりリールの回転を開始し、その回転を停止させることができる。予め決められている絵柄が横方向または斜め方向に揃えば、絵柄に相当するコインの払い出しが行われる。
【０００８】
図２は、リール機構の構造を説明するための正面図，平面図および側面図である。
（ａ）はリール機構の平面図、（ｂ）は正面図，（ｃ）は側面図である。
それぞれのリール２，３および４の背後にリール装着用シンボルシートの裏面に印刷されているＱＲコードを読み取るためのＣＣＤカメラ装置６が配置されている。正面で停止したリール装着用シンボルシートの裏面のＱＲコードを撮像し、ゲーム機制御部５に送る。コード認識部５ａが撮像したＱＲコードを認識することにより、そのリール装着用シンボルシートが何の絵柄であるかをスロットゲーム機は知ることができる。この情報は正面に揃った絵柄の判断やゲームプログラムと同期するために使用される。
【０００９】
図３はリール機構の差し込み部分の詳細を説明するための図、図４はリール装着用シンボルシートの一例を示す図である。
リールの隣接する分割枠１１，１１に枠に沿って案内溝１４ａ，１４ｂと１５ａ，１５ｂがそれぞれ形成されている。またリール円周枠１３の側面に５個のシンボルシート嵌合孔１６ａ〜１６ｅが穿設されている。
リール装着用シンボルシート１２は一端に５個の嵌合用突起１９ａ〜１９ｅを有し、表側にシンボルとしてスイカの絵１８が形成されている。裏面には図５に示すようにＱＲコード２０が印刷されている。
【００１０】
リール装着用シンボルシート１２をリールの右側位置からシンボルシート案内溝１４ａ，１５ｂに挿通し、矢印２１の方向に押すと、リール装着用シンボルシート１２の上下縁はシンボルシート案内溝１４ａ，１５ｂ中をスライドし、嵌合用突起１９ａ〜１９ｅがリール円周枠１３のシンボルシート嵌合孔１６ａ〜１６ｅに嵌合することにより、リール装着用シンボルシート１２をリールに取り付けることができる。このような構造であるため、一旦取り付けたリール装着用シンボルシートを外し、別のリール装着用シンボルシートを取り付けることも容易である。
【００１１】
図６はリール装着用シンボルシートを差し込む状態を説明するための図である。
リール分割枠１１に形成されたシンボルシート案内溝にリール装着用シンボルシート１２ａ，１２ｂ，１２ｃをそれぞれスライドして取り付けることができる。全てのリール分割枠１１の間に異なる（同じでもよい）シンボルのリール装着用シンボルシートが取り付けられる。
【００１２】
以上の実施の形態は、リール装着用シンボルシートの裏面にＱＲコードを印刷した例を説明したが、リール装着用シンボルシートにＲＦＩＤを搭載し、これと通信を行うためのＲＦＩＤリーダライタをリール内側のゲーム機筐体に設ける構成にしても良い。各リール装着用シンボルシート毎に識別しプログラムと同期をとることができる。
【産業上の利用可能性】
【００１３】
メカニカルリールの構造の業務用スロットゲーム機である。
【図面の簡単な説明】
【００１４】
【図１】本発明によるリール装置を用いたスロットゲーム機の外観を示す図である。
【図２】リール機構の構造を説明するための正面図，平面図および側面図である。
【図３】リール機構の差し込み部分の詳細を説明するための図である。
【図４】リール装着用シンボルシートの一例を示す図である。
【図５】リール装着用シンボルシートの裏面を示す図である。
【図６】リール装着用シンボルシートを差し込む状態を説明するための図である。
【符号の説明】
【００１５】
１  スロットゲーム機
２  第１リール
３  第２リール
４  第３リール
５  ゲーム機制御部
６  ＣＣＤカメラ装置
７  操作パネル
８  操作スイッチ
１１  リール分割枠
１２  リール装着用シンボルシート
１３  リール円周枠
１４，１５  シンボルシート案内溝
１６  シンボルシート嵌合孔
１８  スイカの絵
１９  嵌合用突起
２０  ＱＲコード
【図１】
0005132432.tif 000002
【図２】
0005132432.tif 000003
【図３】
0005132432.tif 000004
【図４】
0005132432.tif 000005
【図５】
0005132432.tif 000006
【図６】
0005132432.tif 000007